(57)【要約】【課題】断裁機の断裁刃により断裁されるべき紙束の端縁を揃える際に、作業者の手がクランパ等の紙束押さえ具により押しつぶされてしまうことを防止することができ、よって作業の安全性を高めることができる紙束揃え具およびこのような紙束揃え具を備えた断裁機を提供する。【解決手段】紙束揃え具１０は、前板２２の一方の面から突出するよう設けられたハンドル３０と、ハンドル３０に取り付けられ、前板２２におけるハンドル３０が突出する一方の面とは反対側の他方の面から突出するよう設けられた爪部材３２と、ハンドル３０および爪部材３２を一体的に案内する案内部（具体的には、シャフト３４）とを備え、案内部に沿ってハンドル３０が作業者の手で移動させられることにより、当該ハンドル３０に取り付けられた爪部材３２によって、前板２２が押し当てられた紙束の端縁が押さえられるようになっている。【選択図】図１
2016036903.tif 000002
【特許請求の範囲】
【請求項１】
紙束の端縁に押し当てられるべき平板状の前板と、
前記前板の一方の面から突出するよう設けられた、作業者の手で操作されるべきハンドルと、
前記前板における前記ハンドルが突出する一方の面とは反対側の他方の面から突出するよう前記ハンドルに設けられた爪部材と、
前記ハンドルおよび前記爪部材を一体的に案内する案内部と、
を備え、
前記案内部に沿って前記ハンドルが作業者の手で移動させられることにより、当該ハンドルに取り付けられた前記爪部材によって、前記前板が押し当てられた紙束の端縁が押さえられるようになっている、紙束揃え具。
【請求項２】
前記案内部には、前記ハンドルを所定の位置に維持するための弾性部材が設けられている、請求項１記載の紙束揃え具。
【請求項３】
前記弾性部材は、前記案内部の近傍に設けられたバネからなり、当該バネの復元力により前記ハンドルが所定の位置に維持されるようになっている、請求項２記載の紙束揃え具。
【請求項４】
前記案内部は、互いに平行に延びる複数のシャフトからなる、請求項１乃至３のいずれか一項に記載の紙束揃え具。
【請求項５】
前記前板における前記ハンドルが突出する一方の面とは反対側の他方の面からの前記爪部材の突出量が変化するよう当該爪部材を移動させる爪部材調整部を更に備えた、請求項１乃至４のいずれか一項に記載の紙束揃え具。
【請求項６】
前記爪部材調整部には、前記爪部材を所定の位置に維持するための追加弾性部材が設けられている、請求項５記載の紙束揃え具。
【請求項７】
前記追加弾性部材は、前記ハンドルと前記爪部材調整部との間に設けられたバネからなり、当該バネの復元力により前記爪部材が所定の位置に維持されるようになっている、請求項６記載の紙束揃え具。
【請求項８】
請求項１乃至７のいずれか一項に記載の紙束揃え具と、
紙束が載置されるべきテーブルと、
前記テーブルに載置された紙束を上方から押さえる紙束押さえ具と、
前記テーブルに載置された紙束を断裁する断裁刃と、
を備えた、断裁機。
【請求項９】
前記紙束揃え具と前記断裁機の本体部分とは有線または無線により互いに接続されており、
前記紙束揃え具には、前記紙束押さえ具を操作するためのボタンが設けられており、
前記紙束揃え具に設けられたボタンが押されると、前記紙束押さえ具が下降することにより当該紙束押さえ具によって前記テーブルに載置された紙束が上方から押さえられるようになっている、請求項８記載の断裁機。
【発明の詳細な説明】
【技術分野】
【０００１】
本発明は、紙束の端縁の反りやうねりを矯正するための紙束揃え具およびこのような紙束揃え具を備えた断裁機に関する。
【背景技術】
【０００２】
断裁機においてテーブルに載置された紙束の端縁を断裁刃により断裁するにあたり、まずテーブルに載置された紙束の端縁の近傍をクランパ（紙束押さえ具）により上方から押さえた後、断裁刃を下降させることによって当該断裁刃により紙束の端縁を断裁するようになっている。また、従来では、テーブルに載置された紙束の端縁の近傍をクランパ（紙束押さえ具）により上方から押さえる前に、特許文献１に開示されるような紙束揃え具によって紙束の端縁を揃える場合があった。ここで、特許文献１に開示される従来の紙束揃え具の構成について図１２を用いて説明する。
【０００３】
図１２に示すように、従来の紙束揃え具８０は、前板８２、後板８３、左右一対の側板８４および底板８５を有しており、これらの部材により、その上部が開口された、横断面が矩形である箱状の器具が形成されている。後板８３には、作業者が上下に指を通す２つの指孔８８、８９が形成されている。ここで、指孔８８、８９の内周の入口側には、外側に向けて広がるように形成された傾斜面９０が設けられており、作業者が紙束揃え具８０を違和感なく把持することができるようになっている。また、後板８３には、その上縁に、作業者が紙束揃え具８０を握った状態で親指以外の指の位置に合わせた凹凸部９１が形成されている。
【０００４】
両側の側板８４には、それぞれ中央部に、作業者の指を通す指孔９２が形成されている。各指孔９２の入口側にも、外側に向けて広がるように形成された傾斜面９３が設けられており、作業者が紙束揃え具８０を違和感なく把持することができるようになっている。
【０００５】
さらに、後板８３の端部と側板８４の端部とが交わって形成される稜９４の中央部には、作業者の親指と人差し指の股に合わせたへこみ部９５が形成されており、このへこみ部９５と、側板８４の指孔９２に形成される傾斜面９３とによりなだらかな面が形成されている。このように、側板８４の指孔９２に通した親指と後板８３の指孔８８、８９に通した人差し指および中指と、へこみ部９５に収まった親指および人差し指の股がなだらかな面に合うので、作業者は紙束揃え具８０を違和感なく把持することができるようになる。
【０００６】
図１２に示すような紙束揃え具８０を用いて紙束の端縁を揃える際に、作業者はまず断裁機のテーブルに紙束を載置し、この紙束の一方の端縁（具体的には、紙束における断裁されるべき端縁とは反対側の端縁）をバックゲージに押し当て、当該端縁の位置を揃えるようにする。次に、作業者は２つの紙束揃え具８０をそれぞれ手で握り、断裁機のテーブルに載置された紙束の他方の端縁（具体的には、紙束における断裁されるべき端縁）に、これらの紙束揃え具８０の前板８２を押し当てる。このことにより、バックゲージと各紙束揃え具８０の前板８２との間で紙束の位置合わせが行われる。その後、紙束の端縁から紙束揃え具８０を離した後、この紙束の端縁の近傍をクランパ（紙束押さえ具）により上方から押さえ、クランパにより紙束の端縁の近傍が上方から押さえられた状態で断裁刃を下降させることによって当該断裁刃により紙束の端縁を断裁する。
【先行技術文献】
【特許文献】
【０００７】
【特許文献１】実用新案登録第３１７８１２０号
【発明の概要】
【発明が解決しようとする課題】
【０００８】
従来の断裁機では、テーブルに載置された紙束における断裁刃により断裁されるべき端縁に反りやうねりが生じている場合には、断裁刃による断裁の精度が悪くなってしまい、断裁された後の紙束における各々の紙の端縁においてずれが生じてしまうおそれがある。また、特許文献１に開示されるような紙束揃え具を用いた場合でも、このような従来の紙束揃え具では紙束の端縁に生じた反りやうねりを矯正することができないため、作業者は指先で紙束の端縁を上方から押さえて反りやうねりを手動で矯正しなければならなかった。しかしながら、作業者が指先で紙束の端縁を上方から押さえながらクランパを下降させると、紙束の端縁を押さえている作業者の指がクランパと紙束との間に挟まれてしまうおそれがあり、作業者の指先がつぶれてしまい重大な事故につながる可能性があるという問題があった。
【０００９】
本発明は、このような点を考慮してなされたものであり、断裁機の断裁刃により断裁されるべき紙束の端縁を揃える際に、作業者の手がクランパ等の紙束押さえ具により押しつぶされてしまうことを防止することができ、よって作業の安全性を高めることができる紙束揃え具およびこのような紙束揃え具を備えた断裁機を提供することを目的とする。
【課題を解決するための手段】
【００１０】
本発明の紙束揃え具は、紙束の端縁に押し当てられるべき平板状の前板と、前記前板の一方の面から突出するよう設けられた、作業者の手で操作されるべきハンドルと、前記前板における前記ハンドルが突出する一方の面とは反対側の他方の面から突出するよう前記ハンドルに設けられた爪部材と、前記ハンドルおよび前記爪部材を一体的に案内する案内部と、を備え、前記案内部に沿って前記ハンドルが作業者の手で移動させられることにより、当該ハンドルに取り付けられた前記爪部材によって、前記前板が押し当てられた紙束の端縁が押さえられるようになっていることを特徴とする。
【００１１】
このような紙束揃え具によれば、作業者の手で操作されるべきハンドルが、前板の一方の面から突出するよう設けられているとともに、前板が押し当てられた紙束の端縁を押さえるための爪部材がハンドルに取り付けられており、当該爪部材は、前板におけるハンドルが突出する一方の面とは反対側の他方の面から突出するよう設けられている。このことにより、作業者が手で操作するハンドルは、前板に対して、紙束を上方から押さえる紙束押さえ具としてのクランパの反対側に設けられるようになるため、ハンドルを操作する作業者の手がクランパにより押しつぶされてしまうことを防止することができ、よって作業の安全性を高めることができるようになる。
【００１２】
本発明の紙束揃え具においては、前記案内部には、前記ハンドルを所定の位置に維持するための弾性部材が設けられていてもよい。
【００１３】
この場合、前記弾性部材は、前記案内部の近傍に設けられたバネからなり、当該バネの復元力により前記ハンドルが所定の位置に維持されるようになっていてもよい。
【００１４】
本発明の紙束揃え具においては、前記案内部は、互いに平行に延びる複数のシャフトからなっていてもよい。
【００１５】
本発明の紙束揃え具は、前記前板における前記ハンドルが突出する一方の面とは反対側の他方の面からの前記爪部材の突出量が変化するよう当該爪部材を移動させる爪部材調整部を更に備えていてもよい。
【００１６】
この場合、前記爪部材調整部には、前記爪部材を所定の位置に維持するための追加弾性部材が設けられていてもよい。
【００１７】
また、前記追加弾性部材は、前記ハンドルと前記爪部材調整部との間に設けられたバネからなり、当該バネの復元力により前記爪部材が所定の位置に維持されるようになっていてもよい。
【００１８】
本発明の断裁機は、上記の紙束揃え具と、紙束が載置されるべきテーブルと、前記テーブルに載置された紙束を上方から押さえる紙束押さえ具と、前記テーブルに載置された紙束を断裁する断裁刃と、を備えたことを特徴とする。
【００１９】
本発明の断裁機においては、前記紙束揃え具と前記断裁機の本体部分とは有線または無線により互いに接続されており、前記紙束揃え具には、前記紙束押さえ具を操作するためのボタンが設けられており、前記紙束揃え具に設けられたボタンが押されると、前記紙束押さえ具が下降することにより当該紙束押さえ具によって前記テーブルに載置された紙束が上方から押さえられるようになっていてもよい。
【発明の効果】
【００２０】
本発明の紙束揃え具およびこのような紙束揃え具を備えた断裁機によれば、断裁機の断裁刃により断裁されるべき紙束の端縁を揃える際に、作業者の手がクランパ等の紙束押さえ具により押しつぶされてしまうことを防止することができ、よって作業の安全性を高めることができる。
【図面の簡単な説明】
【００２１】
【図１】本発明の実施の形態による紙束揃え具の構成を示す斜視図である。
【図２】図１に示す紙束揃え具の側面図である。
【図３】図１に示す紙束揃え具の正面図である。
【図４】図１に示す紙束揃え具の背面図である。
【図５】図１に示す紙束揃え具の上面図である。
【図６】図１に示す紙束揃え具を用いて紙束の端部を揃える動作を示す側面図である。
【図７】図１に示す紙束揃え具を備えた断裁機の構成の概略を示す概略構成図である。
【図８】変形例に係る紙束揃え具の構成を示す斜視図である。
【図９】図８に示す紙束揃え具の背面図である。
【図１０】図８に示す紙束揃え具の側面図である。
【図１１】（ａ）〜（ｄ）は、図８乃至図１０に示す紙束揃え具を用いて紙束の端部を揃える動作を順に示す側面図である。
【図１２】従来技術の紙束揃え具の構成を示す斜視図である。
【発明を実施するための形態】
【００２２】
以下、図面を参照して本発明の実施の形態について説明する。図１乃至図７は、本実施の形態に係る紙束揃え具やこのような紙束揃え具を備えた断裁機を示す図である。このうち、図１は、本実施の形態による紙束揃え具の構成を示す斜視図であり、図２乃至図５は、それぞれ、図１に示す紙束揃え具の側面図、正面図、背面図および上面図である。また、図６は、図１に示す紙束揃え具を用いて紙束の端部を揃える動作を示す側面図であり、図７は、図１に示す紙束揃え具を備えた断裁機の構成の概略を示す概略構成図である。
【００２３】
図１乃至図６に示すように、本実施の形態による紙束揃え具１０は、平板状の底板２０と、当該底板２０に対して直交するよう設けられた平板状の前板２２とを備えており、前板２２の中央部分には、当該紙束揃え具１０を正面側から見て長方形形状となるような開口２４が形成されている。この開口２４内には３本のシャフト３４が互いに平行に延びるよう設けられている。ここで、各シャフト３４は底板２０に対して直交する方向に延びるようになっている。また、本実施の形態による紙束揃え具１０には、図１乃至図４において上下方向に移動自在となっているハンドル３０が設けられており、当該ハンドル３０は各シャフト３４により案内されるようになっている。ここで、ハンドル３０は、図２において前板２２の側面（具体的には、図２における左側の側面）から左方に突出するよう設けられており、この前板２２の側面から左側に突出した部分が作業者の手で操作されるようになっている（図６参照）。
【００２４】
また、図２や図５等に示すように、ハンドル３０には爪部材３２が取り付けられている。ここで、爪部材３２は、図２において前板２２の側面（具体的には、図２における右側の側面）から右方に突出するよう設けられており、この前板２２の側面から右側に突出した部分により紙束の縁部が上方から押さえられるようになっている（図６参照）。なお、図６では、紙束揃え具１０によりその縁部が揃えられるべき紙束を参照符号Ｓで示している。
【００２５】
本実施の形態では、図２の左右方向（すなわち、図５の上下方向）における、ハンドル３０に対する爪部材３２の位置を自在に調整することができるようになっている。具体的には、爪部材３２には長穴３２ａが設けられており、取付ピン３１がこの長穴３２ａに通されることによってハンドル３０に対して爪部材３２が固定されるようになっているが、爪部材３２の長穴３２ａにおける取付ピン３１が通される位置を変えることにより（すなわち、図５において爪部材３２の長穴３２ａにおける取付ピン３１が通される位置を上下方向で変えることにより）、図２の左右方向におけるハンドル３０に対する爪部材３２の位置が調整される。このことにより、爪部材３２について、図２において前板２２の側面（具体的には、図２における右側の側面）から右方に突出する量を変えることができるようになる。
【００２６】
また、並列に設けられた３本のシャフト３４のうち両側の２本のシャフト３４にはバネ３６がそれぞれ設けられている。具体的には、各バネ３６は、各シャフト３４におけるハンドル３０よりも下方の位置に配置されている。このような各バネ３６が設けられていることにより、ハンドル３０に何ら力が加えられていないときには当該ハンドル３０は図１に示す位置に維持され、また、作業者がハンドル３０を底板２０側に向かって押し下げたときに当該ハンドル３０に対して各バネ３６の収縮状態からの反発力（すなわち、各バネ３６の復元力）によって図１における上向きの力が加えられるようになる。このため、作業者がハンドル３０を底板２０側に向かって押し下げた後、当該ハンドル３０から手を離すとハンドル３０は図１に示すような位置に戻るようになる。
【００２７】
次に、このような紙束揃え具１０を備えた断裁機４０の構成について図７を用いて説明する。図７に示すように、断裁機４０は、ペダル５２が設けられた基台５０と、基台５０の上面に設けられ、その端縁が断裁されるべき紙束（図７において参照符号Ｓで表示）が載置されるテーブル４８と、テーブル４８に載置された紙束の一方の端縁（具体的には、紙束における断裁されるべき端縁とは反対側の端縁）の位置を揃えるためのバックゲージ４４と、テーブル４８に載置された紙束の他方の端縁（具体的には、紙束における断裁されるべき端縁）の近傍で当該紙束を上方から押さえるクランパ４２（紙束押さえ具）とを備えている。ここで、クランパ４２は図７における上下方向に移動自在となっており、作業者が足でペダル５２を踏むとクランパ４２が下降してテーブル４８に載置された紙束が上方から押さえられるようになる。
【００２８】
また、図７に示すように、断裁機４０には、テーブル４８に載置された紙束の端縁を断裁するための断裁刃４６が設けられており、当該断裁刃４６は図７における上下方向に移動自在となっている。また、テーブル４８にはボタン５４が設けられており、作業者がこのボタン５４を押すことにより断裁刃４６が下降してテーブル４８に載置された紙束の端縁を断裁するようになっている。なお、図７では１つのボタン５４しか図示されていないが、実際にはテーブル４８の端縁に２つのボタン５４が互いに離間して配置されており、作業者が両手で各ボタン５４を押さないと断裁刃４６が下降しないようになっている。このことにより、作業者の手が断裁刃４６によって誤って切られてしまうことを防止することができ、断裁機４０の安全性を高めることができるようになる。
【００２９】
次に、図７に示すような断裁機４０により紙束の端縁を断裁する方法について以下に述べる。
【００３０】
最初に、作業者は断裁機４０のテーブル４８に紙束を載置した後、この紙束の一方の端縁（具体的には、紙束における断裁されるべき端縁とは反対側の端縁）をバックゲージ４４に押し当て、当該端縁の位置を揃えるようにする。次に、図６に示すように、テーブル４８に載置された紙束の他方の端縁（具体的には、紙束における断裁されるべき端縁）に紙束揃え具１０の前板２２を押し当てる。ここで、図６では１つの紙束揃え具１０しか図示されていないが、実際にはテーブル４８に載置された紙束の他方の端縁に２つの紙束揃え具１０が押し当てられるようになる。この場合、作業者の両手にそれぞれ１つの紙束揃え具１０が握られ、作業者の両手に握られた合計２つの紙束揃え具１０は図６における紙面に直交する方向に沿って並ぶよう紙束の端縁にそれぞれ押し当てられるようになる。そして、作業者が手（具体的には、例えば親指）で各紙束揃え具１０のハンドル３０を押し下げることにより、当該ハンドル３０に取り付けられた爪部材３２も下降し、テーブル４８に載置された紙束の端縁（具体的には、紙束における断裁されるべき端縁）に反りやうねりが発生していたときでもこの紙束の反り部分等を爪部材３２により上方から押さえることができるようになる。このようにして、紙束揃え具１０の爪部材３２により紙束の反りやうねりが矯正された後、作業者は足でペダル５２を踏むことによりクランパ４２が下降し、テーブル４８に載置された紙束はクランパ４２により上方から押さえられるようになる。この際に、図６に示すように、ハンドル３０は、紙束揃え具１０の前板２２に対して爪部材３２とは反対側に設けられているため、ハンドル３０を操作する作業者の手がクランパ４２により押しつぶされてしまうことを防止することができ、よって作業の安全性を高めることができるようになる。
【００３１】
テーブル４８に載置された紙束はクランパ４２により上方から押さえられた後、作業者は紙束揃え具１０のハンドル３０から手を離す。このことにより、当該ハンドル３０は図１に示すような元の位置に戻るようになるため、ハンドル３０に取り付けられた爪部材３２は紙束の端縁から上方に離間するようになる。
【００３２】
その後、作業者は各ボタン５４を両手でそれぞれ押すとともに、ペダル５２から足を上げる。各ボタン５４が両手で押されると、クランパ４２は下降状態（すなわち、テーブル４８に載置された紙束を上方から押さえた状態）で維持され、このような状態で断裁刃４６が下降することにより、紙束の端縁が断裁される。そして、作業者が各ボタン５４から手を離すと、断裁刃４６およびクランパ４２は自動で上昇し、テーブル４８に載置された紙束からそれぞれ上方に離間するようになる。最後に、テーブル４８から紙束を取り出すことにより、図７に示すような断裁機４０を用いた紙束の断裁作業が終了する。
【００３３】
以上のような構成からなる本実施の形態の紙束揃え具１０によれば、作業者の手で操作されるべきハンドル３０が、前板２２の一方の面から突出するよう設けられているとともに、前板２２が押し当てられた紙束の端縁を押さえるための爪部材３２がハンドル３０に設けられており、当該爪部材３２は、前板２２におけるハンドル３０が突出する一方の面とは反対側の他方の面から突出している。このことにより、作業者が手で操作するハンドル３０は、前板２２に対して、紙束を上方から押さえる紙束押さえ具としてのクランパ４２の反対側に設けられるようになるため、ハンドル３０を操作する作業者の手がクランパ４２により押しつぶされてしまうことを防止することができ、よって作業の安全性を高めることができるようになる。
【００３４】
また、本実施の形態の紙束揃え具１０においては、ハンドル３０および爪部材３２を一体的に案内する案内部として、互いに平行に延びる複数のシャフト３４が設けられている。このように、互いに平行に延びる複数のシャフト３４によってハンドル３０および爪部材３２が一体的に案内されるため、前板２２が押し当てられた紙束の端縁を爪部材３２により押さえる際に、これらのハンドル３０および爪部材３２をスムーズに動かすことができるようになり、当該紙束の端縁を爪部材３２により確実に押さえることができるようになる。
【００３５】
また、本実施の形態の紙束揃え具１０においては、案内部としての各シャフト３４の近傍には、ハンドル３０を所定の位置に維持するための弾性部材（具体的には、バネ３６）が設けられている。そして、各バネ３６の復元力によりハンドル３０が所定の位置に維持されるようになっている。この場合には、作業者がハンドル３０を押し下げて爪部材３２により紙幣の端縁を押さえた後、ハンドル３０から手を離すだけで当該ハンドル３０を元の位置に戻すことができるようになる。
【００３６】
なお、本実施の形態による紙束揃え具および断裁機は、上述したような態様に限定されることはなく、様々な変更を加えることができる。
【００３７】
例えば、ハンドル３０および爪部材３２を一体的に案内する案内部は、底板２０に対して直交する方向に延びる、平行に設けられた複数（具体的には、３本）のシャフト３４に限定されることはない。ハンドル３０および爪部材３２を一体的に案内する案内部として、底板２０に対して直交する方向に延びる１本のシャフトのみが用いられるようになっていてもよい。また、ハンドル３０および爪部材３２を一体的に案内する案内部として、底板２０に対して直交する方向ではなく、底板２０に対して直交する方向から傾斜した方向に延びる１本または複数本のシャフトが用いられるようになっていてもよい。
【００３８】
また、別の変形例に係る紙束揃え具では、作業者が指によりハンドル３０に対する爪部材３２の位置を自在に調整するようなものが用いられてもよい。このような構成の紙束揃え具では、爪部材３２について、作業者はハンドル３０を握った手の指により前板２２の側面から突出する量を自在に変えることができるようになる。このような紙束揃え具の具体的な構成例について図８乃至図１１を用いて説明する。なお、図８は、変形例に係る紙束揃え具１０ａの構成を示す斜視図であり、図９および図１０は、それぞれ、図８に示す紙束揃え具１０ａの背面図および側面図である。また、図１１（ａ）〜（ｄ）は、図８乃至図１０に示す紙束揃え具１０ａを用いて紙束の端部を揃える動作を順に示す側面図である。なお、図１１（ａ）〜（ｄ）では、紙束揃え具１０によりその縁部が揃えられるべき紙束を参照符号Ｓで示している。また、図８乃至図１２に示すような変形例に係る紙束揃え具１０ａを説明するにあたり、図１乃至図７に示すような上記の紙束揃え具１０と同一の構成部材については同一の参照符号を付してその説明を省略する。
【００３９】
図８乃至図１０に示すように、変形例に係る紙束揃え具１０ａには、前板２２（具体的には、図１０における前板２２の右側の面）からの爪部材３２の突出量が変化するよう当該爪部材３２を図１０における左右方向に移動させる爪部材調整部３３が設けられている。より詳細には、図８および図９に示すように、爪部材調整部３３は左右一対で設けられており、各々の爪部材調整部３３の先端部分に２つの爪部材３２が設けられている。なお、変形例に係る紙束揃え具１０ａにおいて、各爪部材３２における先端部分の下面側の角は丸みを帯びていることが好ましい。また、変形例に係る紙束揃え具１０ａでは、ハンドル３０も左右一対で設けられており、各ハンドル３０の上面にはピン３０ａが設けられている。また、各爪部材調整部３３の基端部分は各ハンドル３０の上面に載るよう配置されており、各爪部材調整部３３は各ハンドル３０に対して前板２２に向かう方向および前板２２から遠ざかる方向（すなわち、図１０における左右方向）にそれぞれスライドすることができるようになっている。
【００４０】
また、各爪部材調整部３３と各ハンドル３０との間にはバネ３８が設けられている。具体的には、各爪部材調整部３３には、各バネ３８の一端が取り付けられる取付部材３３ａが設けられており、各バネ３８の他端はハンドル３０の上面に設けられたピン３０ａに取り付けられている。このようなバネ３８が各爪部材調整部３３と各ハンドル３０との間に設けられていることにより、爪部材調整部３３に何ら力が加えられていないときには前板２２からの爪部材３２の突出量が小さいまま（具体的には、図１乃至図７に示す紙束揃え具１０における前板２２からの爪部材３２の突出量と略同一の大きさ）の状態に維持されるが、作業者がハンドル３０を握った状態で各爪部材調整部３３を指で前板２２側に向かって押すとバネ３８が伸びることにより前板２２からの爪部材３２の突出量が大きくなる。その後、作業者が各爪部材調整部３３から指を離すと、各バネ３８の伸びた状態からの復元力によって各爪部材調整部３３が図１０における左側に移動し、これらの爪部材調整部３３の先端に設けられた各爪部材３２も図１０における左側に移動して元の位置に戻るようになる。このように、バネ３８は、爪部材３２を所定の位置に維持するための追加弾性部材として機能するようになっている。
【００４１】
次に、このような変形例に係る紙束揃え具１０ａにより紙束の端部を揃える動作について図１１（ａ）〜（ｄ）を用いて説明する。
【００４２】
図７に示すような断裁機４０のテーブル４８に作業者が紙束を載置した後、図１１（ａ）に示すように、テーブル４８に載置された紙束の端縁に紙束揃え具１０ａの前板２２を押し当てる。ここで、図１１（ａ）に示す例では、テーブル４８に載置された紙束における各々の紙は紙束揃え具１０ａの前板２２側（すなわち、図１１（ａ）における左側）の端縁で折り返されていることにより当該端縁が膨らんだ状態となっている。作業者は、テーブル４８に載置された紙束の端縁に紙束揃え具１０ａの前板２２を押し当てた後、左右一対のハンドル３０を両手でそれぞれ握りながら、例えば両方の手の親指で左右一対の爪部材調整部３３をそれぞれ前板２２側に向かって押す。このことにより、図１１（ｂ）に示すように、各爪部材３２は図１１（ｂ）における右方向に移動し、前板２２からの爪部材３２の突出量が大きくなる。また、各爪部材調整部３３と各ハンドル３０との間に設けられたバネ３８が伸びるようになる。その後、図１１（ｃ）に示すように、作業者は左右一対のハンドル３０をそれぞれ押し下げることにより、各爪部材３２も下降し、テーブル４８に載置された紙束の端縁（具体的には、紙束における断裁されるべき端縁）が膨らんでいたときでもこの紙束の膨らんだ部分を各爪部材３２により上方から押さえることができるようになる。そして、テーブル４８に載置された紙束の端縁が各爪部材３２により上方から押さえられた後、作業者が各爪部材調整部３３から指を離すと、図１１（ｄ）に示すように、各バネ３８の伸びた状態からの復元力によって各爪部材調整部３３が左側に移動し、これらの爪部材調整部３３の先端に設けられた各爪部材３２も左側に移動するようになる。このようにして、各爪部材３２が元の位置に戻るようになる。
【００４３】
その後、作業者は足でペダル５２を踏むことによりクランパ４２が下降し、テーブル４８に載置された紙束はクランパ４２により上方から押さえられるようになる。そして、テーブル４８に載置された紙束はクランパ４２により上方から押さえられた後、作業者は紙束揃え具１０ａの各ハンドル３０から手を離す。このことにより、各ハンドル３０は上方に移動して元の位置に戻るようになるため、各爪部材３２は紙束の端縁から上方に離間するようになる。その後、作業者は各ボタン５４を両手でそれぞれ押すとともに、ペダル５２から足を上げる。各ボタン５４が両手で押されると、クランパ４２は下降状態（すなわち、テーブル４８に載置された紙束を上方から押さえた状態）で維持され、このような状態で断裁刃４６が下降することにより、紙束の端縁が断裁される。
【００４４】
図８乃至図１１に示すような変形例に係る紙束揃え具１０ａによれば、作業者は各爪部材調整部３３を指で前板２２側に向かって押すことにより前板２２からの爪部材３２の突出量を大きくすることができる。このため、図１１（ａ）に示すように、テーブル４８に載置された紙束における紙束揃え具１０ａの前板２２側の端縁が膨らんだ状態となっており、紙束の上層部分と紙束揃え具１０ａの前板２２との間に隙間ができてしまった場合でも、図１１（ｂ）に示すように前板２２からの爪部材３２の突出量を大きくすることにより、紙束の膨らんだ部分を各爪部材３２により上方から確実に押さえることができるようになる。また、図８乃至図１１に示すような変形例に係る紙束揃え具１０ａによれば、各爪部材３２を所定の位置に維持するための追加弾性部材としてバネ３８が各爪部材調整部３３と各ハンドル３０との間に設けられているため、作業者が各爪部材調整部３３から指を離すと各爪部材３２は前板２２から突出した状態から元の位置に戻るようになる。このことにより、断裁刃４６が下降させるために作業者が各ボタン５４を両手でそれぞれ押す際には各爪部材３２は元の位置に戻っており、下降した断裁刃４６が各爪部材３２と衝突してしまうことを防止することができるようになる。
【００４５】
なお、図８乃至図１１に示すような変形例に係る紙束揃え具１０ａでは、左右一対のハンドル３０および左右一対の爪部材調整部３３が１つの紙束揃え具１０ａで一体的に設けられているが、変形例に係る紙束揃え具１０ａではこのような構成に限定されることはない。左右一対のハンドル３０がそれぞれ分離可能となっており、分離した各ハンドル３０に対応して爪部材調整部３３が設けられるようになっていてもよい。
【００４６】
また、図８乃至図１１に示すような変形例に係る紙束揃え具１０ａにおいて、前板２２からの爪部材３２の突出量を大きくするよう当該爪部材３２を移動させる爪部材調整部は、作業者により指で押されることによって動作するものに限定されることはない。前板２２の側面からの爪部材３２の突出量を大きくするよう当該爪部材３２を移動させる爪部材調整部として、シリンダ等の電動で爪部材３２を移動させるものが用いられてもよい。
【００４７】
また、変形例に係る断裁機において、紙束揃え具１０、１０ａと断裁機の本体部分（例えば、基台５０）とが有線または無線により互いに接続されており、紙束揃え具１０、１０ａには、クランパ４２（紙束押さえ具）を操作するためのボタンが設けられていてもよい。このような断裁機では、紙束揃え具１０、１０ａに設けられたボタンが押されると、クランパ４２が下降することにより当該クランパ４２によってテーブル４８に載置された紙束が上方から押さえられるようになる。このような構成の断裁機によれば、作業者はペダル５２を踏まなくてもクランパ４２を下降させることができるようになるため、当該作業者は手で紙束揃え具１０、１０ａを操作するだけで紙束の端縁の反りやうねりを矯正するだけでなくクランパ４２も下降させることができるようになり作業者にとっての利便性を向上させることができる。
【００４８】
また、本発明に係る紙束揃え具は、断裁機だけではなく、紙束に対して断裁以外の処理を行う他の様々な構成の機械に適用可能である。例えば、紙束の端縁のホッチキス止めを行う機械において本発明に係る紙束揃え具を用い、当該紙束揃え具によって紙束の端縁の位置合わせを行うとともに当該紙束の端縁に発生した反りやうねりを矯正するようにしてもよい。具体的には、このような機械により、紙束揃え具の前板が当てられた側の紙束の端縁がホッチキス止めされてもよく、あるいは、紙束における紙束揃え具の前板が当てられた側とは反対側の端縁がホッチキス止めされてもよい。
【符号の説明】
【００４９】
１０、１０ａ    紙束揃え具
２０    底板
２２    前板
２４    開口
３０    ハンドル
３０ａ  ピン
３１    取付ピン
３２    爪部材
３２ａ  長穴
３３    爪部材調整部
３３ａ  取付部材
３４    シャフト
３６    バネ
３８    バネ
４０    断裁機
４２    クランパ
４４    バックゲージ
４６    断裁刃
４８    テーブル
５０    基台
５２    ペダル
５４    ボタン
【図１】
2016036903.tif 000003
【図２】
2016036903.tif 000004
【図３】
2016036903.tif 000005
【図４】
2016036903.tif 000006
【図５】
2016036903.tif 000007
【図６】
2016036903.tif 000008
【図７】
2016036903.tif 000009
【図８】
2016036903.tif 000010
【図９】
2016036903.tif 000011
【図１０】
2016036903.tif 000012
【図１１】
2016036903.tif 000013
【図１２】
2016036903.tif 000014